(57)【要約】  本発明は、外箱１０２と、少なくとも１つの発光ダイオード１１４ａを有し、外箱内に配置された発光ダイオード１１４と、外箱の一部を構成する光出口部材１０８と、制御された雰囲気を含んだ封止キャビティ１０４と、キャビティを封止するために配置された封止材１１０とを含む、発光ダイオードデバイス１００に関する。発光ダイオードデバイスは、封止キャビティ内に配置されたリモート蛍光体素子１１６を更に有する。
2013536569.tif 000002
【特許請求の範囲】
【請求項１】
外箱と、
少なくとも１つの発光ダイオードを有し、前記外箱内に配置された発光ダイオード素子と、
前記外箱の一部を構成する光出口部材と、
制御された雰囲気を含んだ封止キャビティと、
前記キャビティを封止する封止材と、を有する、発光ダイオードデバイスにおいて、
前記封止キャビティ内に配置されたリモート有機蛍光体素子と、を有する、
ことを特徴とする、発光ダイオードデバイス。
【請求項２】
前記封止キャビティ内に配置されたゲッタを更に有する、請求項１記載の発光ダイオードデバイス。
【請求項３】
前記ゲッタは、前記制御された雰囲気から酸素を除去する、請求項２記載の発光ダイオードデバイス。
【請求項４】
前記ゲッタは、前記封止材に隣接して配置される、請求項２又は３に記載の発光ダイオードデバイス。
【請求項５】
前記ゲッタは、出力光路と干渉しない位置に配置される、請求項２乃至４のいずれか１項に記載の発光ダイオードデバイス。
【請求項６】
前記ゲッタは、水素ガスディスペンサを含む、請求項２乃至５のいずれか１項に記載の発光ダイオードデバイス。
【請求項７】
前記封止材は、非密封性であり、酸素に対して透過性を持つ、請求項１乃至６のいずれか１項に記載の発光ダイオードデバイス。
【請求項８】
前記有機蛍光体素子は、別個の素子である、請求項１乃至７のいずれか１項に記載の発光ダイオードデバイス。
【請求項９】
ベース部を更に有し、
前記光出口部材は、前記封止材を用いて前記ベース部に取り付けられた外側シェルを有し、
前記発光ダイオード素子は、前記ベース部上に配置され、
前記有機蛍光体素子は、前記発光ダイオード素子を覆い、且つ、前記発光ダイオード素子と前記外側シェルとの間に配置されたフードを構成し、
前記ゲッタは、前記蛍光体フードと前記外側シェルとの間に配置される、請求項１乃至８のいずれか１項に記載の発光ダイオードデバイス。
【請求項１０】
前記光出口部材は、外壁と、前記封止材を用いて外壁に取り付けられる内壁とを有し、これによりキャビティを形成し、
前記有機蛍光体素子及び前記ゲッタは、前記外壁と前記内壁との間の前記キャビティ内に配置され、
前記発光ダイオードデバイスは、前記発光ダイオード素子を収容する他のコンパートメントを有する、請求項１乃至８のいずれか１項に記載の発光ダイオードデバイス。
【請求項１１】
前記光出口部材は、他のコンパートメントを覆う蓋を形成し、
前記他のコンパートメントは、周囲壁と底面とを有し、
前記周囲壁は、前記底面と前記光出口部材との間に延在し、
前記発光ダイオード素子は、前記底面上に配置される、請求項１０記載の発光ダイオードデバイス。
【請求項１２】
前記外箱は、レトロフィットランプとして設けられている、請求項１乃至１１のいずれか１項に記載の発光ダイオードデバイス。
【請求項１３】
前記光出口部材は、円筒状のガラス管を有し、
前記外箱は、前記封止材を用いて前記円筒状のガラス管に取り付けられたエンドキャップを更に有する、請求項１乃至８又は１０のいずれか１項に記載の発光ダイオードデバイス。
【請求項１４】
前記制御された雰囲気は、前記発光ダイオードデバイスの動作中に前記封止キャビティ内で生成される可能性のある物質と反応する反応性ガスを有する、請求項１乃至１３のいずれか１項に記載の発光ダイオードデバイス。
【請求項１５】
前記反応性ガスを付与するディスペンサを更に有する、請求項１４記載の発光ダイオードデバイス。
【発明の詳細な説明】
【技術分野】
【０００１】
本発明は、外箱，外箱内に配置された発光ダイオード素子，外箱の一部を構成する光出口部材，制御された雰囲気を含んだ封止キャビティ及びキャビティ内に配置された蛍光体素子を有する発光ダイオード（ＬＥＤ）デバイスに関する。
【背景技術】
【０００２】
有機蛍光体の使用は、例えば、発光スペクトルの位置及び帯域設計に関して、無機蛍光体よりも有用である。ただ残念ながら、有機蛍光体は、蛍光体を早期に低品質化させる酸素及び水などの周囲材料に対して敏感であることが分かっている。この問題を解決するための努力がなされてきた。米国特許公開公報ＵＳ７，５６０，８２０号は、制御された雰囲気を有するキャビティを封入する閉構造を有する発光ダイオード（ＬＥＤ）を開示している。キャビティ内には、エミッタ要素，エミッタ要素の近くに配置された蛍光体及びゲッタが配置されている。
【発明の概要】
【発明が解決しようとする課題】
【０００３】
１つ以上のＬＥＤを具備する類似のより大きな寸法の構造を得ることが望ましい。
【課題を解決するための手段】
【０００４】
本発明の目的は、上記のより大きな寸法の構造を持つＬＥＤデバイスを提供することである。
【０００５】
この目的は、請求項１に記載の本発明に従ったＬＥＤデバイスによって達成される。
【０００６】
このため、本発明の一態様によると、外箱と、少なくとも１つの発光ダイオードを有し、外箱内に配置された発光ダイオードと、外箱の一部を構成する光出口部材と、制御された雰囲気を含んだ封止キャビティと、キャビティを封止するために配置された封止材とを有する発光ダイオードデバイスが提供される。発光ダイオードデバイスは、封止キャビティ内に配置された、リモート有機蛍光体素子を更に有する。リモート有機蛍光体素子は、多くの異なる形状で提供可能であり、且つ、強力な光源の小さなスポットにも関わらず均一な拡散光出力を持つ、大きな光出口面を実現することを可能とする。
【０００７】
発光ダイオードデバイスの実施形態によると、ゲッタがキャビティ内に配置される。これにより、例えば、封止は密封である必要がなく、又は、デバイスの動作中に生成され、リモート有機蛍光体素子を低品質化させるガスを除去可能となる。
【０００８】
発光ダイオードデバイスの実施形態によると、ゲッタは、制御された雰囲気から酸素を除去するために配置される。
【０００９】
発光ダイオードデバイスの実施形態によると、ゲッタは、封止材に隣接して配置される。
【００１０】
発光ダイオードデバイスの実施形態によると、ゲッタは、出力光路と干渉しない位置に配置される。
【００１１】
発光ダイオードデバイスの実施形態によると、封止材は、酸素に対して透過性がある。透過性が低く保たれるにも関わらず、ゲッタのおかげで、高価な密封材を備える必要がない。
【００１２】
発光ダイオードデバイスの実施形態によると、有機蛍光体素子は別個の素子である。これにより、蛍光体素子の形状及び配置が最適化され得る。
【００１３】
発光ダイオードデバイスの実施形態によると、発光ダイオードデバイスは、ベース部を有し、光出口部材は、封止材を用いてベース部に取り付けられた外側シェルを有し、発光ダイオード素子は、ベース部上に配置され、有機蛍光体素子は、ベース部に取り付けられるフードであって、且つ、発光ダイオード素子を覆い、さらに、発光ダイオード素子と外側シェルとの間に配置されたフードを構成し、ゲッタは、有機蛍光体素子と外側シェルとの間のベース部上に配置される。
【００１４】
発光ダイオードデバイスの実施形態によると、光出口部材は、外壁と、内壁とを有し、封止材を用いて外壁に取り付けられることによりキャビティを形成する。有機蛍光体素子及びゲッタは、外壁と内壁との間のキャビティ内に配置される。発光ダイオードデバイスは、発光ダイオード素子を収容する他のコンパートメントを有する。
【００１５】
これにより、別個のキャビティ内に敏感な蛍光体素子を設けることが可能となり、他のコンパートメントは、例えば空気又はその他のガスを備えることができるが、周囲から封止される必要はない。
【００１６】
発光ダイオードデバイスの実施形態によると、光出口部材は、他のコンパートメントを覆う蓋を形成し、他のコンパートメントは、周囲壁と底面とを有し、周囲壁は、底面と光出口部材との間に延在し、発光ダイオード素子は、底面上に配置される。
【００１７】
発光ダイオードデバイスの実施形態によると、外箱はレトロフィットランプとして設けられる。レトロフィットランプなる文言は、当該分野における当業者にとって周知であり、ＬＥＤを持たない古い型のランプの外観を持つＬＥＤベースのランプを意味する。
【００１８】
発光ダイオードデバイスの実施形態によると、光出口部材は、円筒状のガラス管を有し、外箱は、封止材を用いて円筒状のガラス管に取り付けられたエンドキャップを更に有する。この実施形態は、例えばレトロフィットＴＬ管として構成され得る。
【００１９】
発光ダイオードデバイスの実施形態によると、制御された雰囲気は、発光ダイオードデバイスの動作中に封止された雰囲気内で生成される可能性のある物質と反応するように構成された反応性ガスを有する。この実施形態は、キャビティ内で生成され、且つ、徐々に機能を劣化させる物質を反応性ガスにより無害化する利点を持つ。ガスの種類は、上記物質に合わせられる。
【００２０】
発光ダイオードデバイスの実施形態によると、発光ダイオードデバイスは、反応性ガスを付与するように構成されたディスペンサを有する。あるアプリケーションでは、ディスペンサは、反応性ガスを少しずつ付与するのに有用である。
【００２１】
発光ダイオードデバイスの実施形態によると、ディスペンサは、水素ガスディスペンサである。これにより、キャビティ内で生じる任意の酸素が、水素と反応させられて、水分を形成し、その後、当該水分は、適切な除湿材料を用いたゲッタにより収集される。
【００２２】
本発明の、これらの及び他の態様，特徴及び利点が、以下に述べられる実施形態を参照して明確且つ明瞭となるであろう。
【図面の簡単な説明】
【００２３】
本発明は、詳細に、且つ、添付された図面を参照して、これより述べられるであろう。
【図１】図１は、本発明に従った発光ダイオードデバイスの実施形態の断面図である。
【図２】図２は、本発明に従った発光ダイオードデバイスの他の実施形態の破断側面図である。
【図３】図３は、本発明に従った発光ダイオードデバイスの他の実施形態の破断側面図である。
【図４】図４は、本発明に従った発光ダイオードデバイスの他の実施形態の断面図である。
【図５】図５は、本発明に従った発光ダイオードデバイスの他の実施形態の断面図である。
【図６】図６は、本発明に従った発光ダイオードデバイスの他の実施形態の断面図である。
【図７】図７は、本発明に従った発光ダイオードデバイスの実施形態の上面図である。
【図８】図８は、本発明に従った発光ダイオードデバイスの他の実施形態の断面図である。
【図９】図９は、本発明に従った発光ダイオードデバイスの他の実施形態の一部切欠き斜視図である。
【図１０】図１０は、本発明に従った発光ダイオードデバイスの他の実施形態の一部切欠き斜視図である。
【発明を実施するための形態】
【００２４】
図１では、発光ダイオード（ＬＥＤ）デバイス１００が、断面図で示されており、側面から見られている。ＬＥＤデバイス１００は、キャビティ１０４を囲み、且つ、ベース部１０６及び光出口部材１０８を有する外箱１０２を有する。光出口部材は、キャビティ１０４を封止するために配置された封止材１１０を用いてベース部１０６に取り付けられている。ＬＥＤデバイス１００は、キャビティ１０４内のベース部１０６に取り付けられたゲッタ１１２と、キャビティ１０４内のベース部１０６に取り付けられ、１個又は図示された実施形態のように数個のＬＥＤ１１４ａを有するＬＥＤ素子１１４と、キャビティ１０４内のベース部１０６に取り付けられたリモート蛍光体素子１１６とを更に有する。ベース部１０６は、当該分野の当業者によって理解されるように、明示されてはいないが、例えば、電気的端子及び駆動電子回路を有するか、又は、支える。
【００２５】
リモート蛍光体素子１１６は、従来の無機蛍光体に比して有用である。しかしながら、特定のガス、一般には酸素は、上記蛍光体素子を不要に早く低品質化させる。従って、通常は、キャビティを密封し、真空化するか、又は、不活性ガスで充填することが、蛍光体素子の寿命を維持するために行なわれてきた。さらに、上記従来技術のＬＥＤアセンブリのように、蛍光体材料がＬＥＤ素子と一体化されてきた。しかしながら、異なる形状及び光特性を持った異なる種類のランプを製造する場合、本発明に従うように、蛍光体をリモート素子として配置するのが有用である。加えて、蛍光体がＬＥＤ素子と一体化されずに別個に付与される場合、とりわけ温度がより低くなるため、蛍光体材料の低品質化がより遅くなることが認識されている。ただし、これは、キャビティ１０４から有害ガスを締め出すことができる場合にだけ、可能となる。一方、真空下又は不活性雰囲気下での密封は、比較的困難であり、コストがかかる。最も基本的な概念では、本発明に従った解決法はより簡単な構造を提供するが、これは密封を除外するものではない。封止材１１０は、この実施形態ではドームである光出口部材１０８の縁に沿って延在している。当該分野における当業者によって理解されるように、本アプリケーションを通じて、光出口部材は、ガラス，適切なプラスチック又はバリア膜などの光透過材料でできた１つ以上の壁を有することに留意すべきである。ゲッタ１１２は、固形物でできており、封止材１１０に隣接して配置されている。この位置は、とりわけゲッタ１１２が出力光路、即ちＬＥＤデバイス１００から出力される光と干渉するのを避けるために、選ばれる。ゲッタは、反射器の後ろに配置され得る。ゲッタ自体が、反射性を持つように作られてもよい。
【００２６】
ゲッタ１１２は、キャビティに侵入するガスを吸収することができる。ゲッタは、有機蛍光体素子６にとって有害となるガスを吸収するように構成される。ＬＥＤデバイス１００のこの構造では、非密封性の封止材、即ち透過性の封止材を設けることが可能である。
【００２７】
固形のゲッタは、一般的には、例えば、シリコン，二価の酸化鉄，バリウム，カルシウム又はアルミニウムでできた酸素ゲッタである。ビタミンＣなどの有機抗酸化剤を使用することも可能である。他のゲッタ１１２の例として、水素ディスペンサ及び吸湿手段を有するゲッタがある。これにより、キャビティ１０４内の制御された雰囲気中の任意の酸素は、水素と反応し、湿気／水を形成し、ゲッタ１１２により除去される。
【００２８】
透過性の封止材は、一般的には、エポキシ接着剤などの有機接着剤である。長期に亘って密封を保証する封止材を設ける追加的なコストをなお避けつつ、実際に透過性が低く保たれることに留意すべきである。
【００２９】
好ましくは、キャビティ１０４は、アルゴン，ネオン，窒素及びヘリウムから選ばれた１つ以上の不活性ガスを含んだ酸素フリーの雰囲気で満たされる。
【００３０】
図１に示された実施形態に関して、リモート有機蛍光体素子１１６は、光出口部材１０８と同様に、ドーム形状のフード状に形成され、酸素フリーの雰囲気がキャビティ内全体、即ちリモート有機蛍光体素子１１６とベース部１０６との間、及び、リモート有機蛍光体素子１１６と光出口部材１０８との間の両方に満たされている。
【００３１】
キャビティ１０４内の少なくとも１つの不活性ガスに加えて、キャビティ内へ侵入、又は、ＬＥＤデバイスが動作される場合に部品から出てくる酸素と、キャビティ１０４内で反応する他のガスを追加することが可能である。例えば、キャビティ１０４内に配置されたＬＥＤ部品又は他の部品は、ＬＥＤデバイス１００の動作又は寿命を劣化させる単原子分子又は化合物のガスを作り出す。化合物のガスと化学反応する反応性ガスであって、安定な化学成分、又は、複数のＬＥＤ１１４ａ間のベース部１０６上に図示されている追加的なゲッタ１１８によって容易に吸収され得る化学成分を作り出す反応性ガスを選択することが可能である。該当する場合は、追加的なゲッタ１１８は、作り出されたガスを直接的に吸収するように配置され得る。さらに、代わりに、反応性ガスは、図３の３２０に示されるように、キャビティ内に配置されたディスペンサにより少しずつ付与され得る。
【００３２】
リモート有機蛍光体素子１１６は、キャビティ内部の別個の部位である場合、例えば射出成形によって形成され得る。
【００３３】
好ましくは、ＬＥＤ１１４ａは、青色発光ＬＥＤであり、リモート有機蛍光体素子１１６は、青色光を白色光に変換するように構成される。
【００３４】
制御された雰囲気，ゲッタ，封止材及びリモート有機蛍光体素子の特性に関してこれまで述べられたことは、他に明示あるいは暗示がない場合には、全ての実施形態においても通常当てはまる。
【００３５】
図２及び図３を参照すると、他の実施形態では、ＬＥＤデバイスが、レトロフィットランプとして設けられている。ＬＥＤデバイス２００，３００は、ねじ込み口金又は差し込み口金などの従来のキャップを備えるベース部２０６，３０６を持つ。さらに、ＬＥＤデバイス２００，３００は、キャビティ２０４，３０４を封入する電球形状の光出口部材２０８，３０８を持つ。一実施形態では、図２に示されるように、リモート有機蛍光体素子２１６が、光出口部材２０８の内部の別個のフード形状の部品として配置されている。リモート有機蛍光体素子２１６は、光出口部材２０８から離れて、ＬＥＤ素子２１４を覆っている。ゲッタ２１２は、リモート有機蛍光体素子２１６と光出口部材２０８との間に、封止材２１０に隣接して配置されている。これにより、ゲッタ２１２は、出力光路と干渉しない。他の実施形態では、図３に示されるように、リモート有機蛍光体素子３１６が、光出口部材３０８の内側上の被覆として配置されており、このため、ゲッタ３１２は、蛍光体素子３１６の内側であって封止材３１０の近傍に置かれている。
【００３６】
別の実施形態では、図４に示されるように、ＬＥＤデバイス４００は、平らなベース部４０６及びドーム形状の光出口部材４０８を有する外箱を持つ。しかしながら、この実施形態では、光出口部材４０８は、外壁４２２，内壁４２４，及び，外壁４２２と内壁４２４との間に配置されたリモート有機蛍光体素子４１６のサンドイッチ構造を有する。外壁４２２及び内壁４２４は、ベース部と接続され、且つ、外壁４２２及び内壁４２４の周縁部４２６，４２８に沿って延在している封止材４１０により互いに接続されている。光出口部材４０８は、これにより、間隔を置いて配置された外壁４２２と内壁４２４との間に封止キャビティ４０４を形成する。ゲッタ４１２は、ＬＥＤデバイス４００の光出力と干渉しないために、封止材４１０に隣接してキャビティ内に配置されている。光出口部材４０８は、第２のキャビティ、即ち他のコンパートメント４３０を、ＬＥＤ４１４ａがマウントされるベース部の内面４３２と内壁４２４との間に定める。他のコンパートメント４３０内には空気に敏感な部品が存在しないため、空気を含むことができ、特別な環境を備える必要がない。しかしながら、光出口部材４０８を追加的にベース部４０６の内面に取り付けることもあるので、他のコンパートメントも封止材４１０によって周囲から封止されることもあり、このために、キャビティ４０４と同じ雰囲気を他のコンパートメント４３０に初めに与えることも可能である。
【００３７】
図５に示されるようなＬＥＤデバイス５００の他の実施形態によれば、光出口部材５０８は、カセットを形成し、且つ、外壁５２２，内壁５２４，及び，外壁５２２と内壁５２４との間に配置されたリモート有機蛍光体素子５１６を有する平面サンドイッチ構造として配置されている。外壁５２２及び内壁５２４のそれぞれは、蓋状であり、円形の平面部分５４２と、当該平面部分に対して垂直且つ円周周りに延在している円筒状の縁部分５４４とを有する。外壁５２２及び内壁５２４は、円筒状の縁部分５４４の端部５２６，５２８に沿って、封止材５１０により互いに取り付けられている。内壁５２４は、平面部分５４２の円周周り表面端部５３２上、円筒状の反射壁５３４の一端において、円筒状の反射壁５３４に取り付けられている。反射壁５３４の他端は、ベース部５０６の内面５３６に取り付けられている。光出口部材５０８の内壁５２４，反射壁５３４，及び，ベース部５０６の内面５３６は、前の実施形態と同様に、クリティカルでない環境を持つ他のコンパートメント５３０を定める。ＬＥＤ５１４は、ベース部５０６の内面５３６上、且つ、他のコンパートメント５３０内にマウントされる。ゲッタ５１２は、カセット５０８の空間内に配置される。電気的端子５３８は、ベース部５０６の外面５４０から突き出ている。あるいは、リモート有機蛍光体素子５１６は、光出口部材５０８の内壁５２４上の被覆として配置されてもよい。カセットが密封され、且つ、ゲッタが省略されるか、又は、ゲッタがそのまま用いられる、代わりの実施形態を提供することが可能である。
【００３８】
図６及び図７に示されるＬＥＤデバイス７００の他の実施形態によれば、前の実施形態と同じようなカセットタイプの光出口部材７０８が用いられる。出口部材７０８は、それぞれ平面状の矩形プレートでできている外壁７２２及び内壁７２４と、外壁７２２及び内壁７２４を互いに離して相互接続している封止材７１０とを持ち、これにより、この中にキャビティ７０４，内壁７２４上に堆積された層によって構成されたリモート有機蛍光体素子７１６，及び，出口部材７０８の角においてキャビティ７０４内に配置されたゲッタ７１２を形成している。矩形管を形成している反射壁７３４は、ベース部７０６上に配置されている。反射壁７３４は、外端に周辺リップ７４４を持ち、当該リップ７４４は、反射壁７３４に対して垂直に、且つ、管の中心軸に向かって延びている。光出口部材７０８の端面は、反射壁７３４の外端近くの端部において、反射壁７３４の内面に取り付けられるとともに、リップ７４４の内側又は下側の面上でリップ７４４に取り付けられている。反射壁７３４は、環状であってもよい。類似の上記実施形態のように、光出口部材７０８のキャビティは、密封材７１０及びゲッタ７１２によって保護された、制御された雰囲気を備える。光出口部材７０８，管状の反射壁７３４及びベース部７０６は、ベース部７０６の内面７３６上に配置される５つのＬＥＤ７１４を有するＬＥＤ素子を収容する、他のコンパートメント７３０を定める。このようにして、全体としては、ＬＥＤデバイス７００はブロック形状であり、矩形状の光出口部材７０８を持つ。しかしながら、ゲッタ７１２を隠すために、光出口部材７０８の外壁７２２は、光路のための円形状の出口窓７４６を残して、外壁７２２の角部分において光を透過させないように作られている。加えて、円形状の出口窓７４６は、出力光として、十分な光錐を提供する。密封材を有する代わりの実施形態は、同様のものを提供可能であり、この場合、ゲッタは、用いられてもよいし、省略されてもよい。
【００３９】
他の実施形態によれば、図８に示されるＬＥＤデバイス８００が、レトロフィットＴＬ管として提供される。光出口部材８０２は、ガラス管８０４と、ガラス管８０４の内面状に堆積された蛍光体層によって構成された有機蛍光体素子８０６とを有する。あるいは、有機蛍光体素子８０６は、ガラス管８０４の内面に隣接して配置された別個の蛍光体素子である。エンドキャップ８０８は、外箱を形成し、且つ、封止キャビティ８２０を定めるため、封止材８１０により光出口部材８０２の両端に取り付けられている。ゲッタ８１２は、封止材８１０近くのキャップ８０８の内側に搭載されている。数個のＬＥＤ８１６を有するＬＥＤ素子８１４は、キャビティ８２０内に配置されるとともに、エンドキャップ８０８に同様に取り付けられたベース部８１８上に配置される。キャビティは、上述のように、制御された雰囲気を含む。
【００４０】
ＬＥＤデバイス９００の他の実施形態によれば、上記のレトロフィットＴＬ管の実施形態と同じように、光出口部材９０２は、ガラス管９０４を有し、発光ダイオード素子９１４は細長く、一列に数個のＬＥＤ９１６を備え、ガラス管９０４の長さ方向に沿って延びている（図９参照）。反射性基板であって、且つ、ＬＥＤ素子９１４に含まれるベース部９１８上に、ＬＥＤ９１６は配置されている。リモート有機蛍光体素子９０６は、ＬＥＤ素子９１４の周囲のガラス管９０４内へ挿入された膜である。ベース部９１８は、ガラス管９０４の内面近くに配置され、ベース部の裏側は当該内面に対向しており、ＬＥＤ９１６は、ベース部９１８の表側にマウントされている。ゲッタ９１２は、ベース部９１８の後側とガラス管９０４との間に搭載されている。これにより、ゲッタ９１２は、ＬＥＤデバイス９００の出力光路と干渉しない。当該管は、密封されてもよいし、透過性シーラントを使用してもよい。
【００４１】
ＬＥＤデバイス１０００の他の実施形態によれば、図１０に示されるように、光出口部材１００２は、２つの同心外側及び内側ガラス円筒１０２２，１０２４を有する。ガラス円筒１０２２，１０２４は、両端において封止され、リモート有機蛍光体素子１００６及びゲッタが配置されるキャビティ１００４を定める。リモート有機蛍光体素子１００６は、同様に円筒形状である。ＬＥＤ素子１０１４は、光出口部材１００２の中央、内側ガラス円筒１０２４内の他のコンパートメント１００５内に配置され、且つ、ベース部１０１８と、ベース部１０１８の両側上にマウントされたＬＥＤ１０１６とを有する。ここでも、封止は密封であってもよい。他のコンパートメント１００５は、空気に対して晒されてもよい。
【００４２】
以上、添付の請求項に記載の本発明に従ったＬＥＤデバイスの実施形態が説明された。これらは、単に非限定の例として解されるべきである。当業者によって理解されるように、多くの修正及び代わりの実施形態が、本発明の範囲内で可能である。
【００４３】
光出口部材がリモート有機蛍光体素子を含むキャビティを収容し、別個の又は他の空間がとりわけ発光ダイオード素子を収容するために配置される上記実施形態では、さらに、光出口部材のキャビティが密封されてもよい。このようにして、有機蛍光体の低品質化につながり得る、ＬＥＤ又はディフューザなどの素子による酸素生成、又は、脱気が避けられる。有機蛍光体が不活性ガス雰囲気下で密封される上記実施形態では、ゲッタの量はごくわずかであってもよいし、又は、ゲッタが取り除かれてもよい。
【００４４】
ある実施形態では、駆動電子回路又はセンサなどの他の素子がＬＥＤデバイス内のＬＥＤ近くにあってもよいことに留意すべきである。
【００４５】
本願目的のため、とりわけ添付の請求項に関し、それ自体は当該分野における当業者にとって明白であろうが、「有する」なる語句は、他の要素又はステップを除外せず、「ａ」又は「ａｎ」なる語句は、複数を除外しないことに留意すべきである。
【図１】
2013536569.tif 000003
【図２】
2013536569.tif 000004
【図３】
2013536569.tif 000005
【図４】
2013536569.tif 000006
【図５】
2013536569.tif 000007
【図６】
2013536569.tif 000008
【図７】
2013536569.tif 000009
【図８】
2013536569.tif 000010
【図９】
2013536569.tif 000011
【図１０】
2013536569.tif 000012
【国際調査報告】
2013536569.tif 000013
2013536569.tif 000014
2013536569.tif 000015